(57)【要約】【課題】  被乾燥物を干すそのままの姿勢で開口の開閉体を開閉して室外と室内との間に自動で移動できて使い勝手が良く、開口を完全に閉じることが可能な物干し装置を提供する。【解決手段】  ベランダ３に室外搬送レール１２を設け、室内４に室内搬送レール１３を設ける。室外搬送レール１２の室内側端１２ａと室内搬送レール１３の室外側端１３ａとをサッシ７を介して対向させ、サッシ７を閉じられるようにする。室外搬送レール１２と室内搬送レール１３に移動可能に、複数のハンガバー１６を連結器２６で連結して構成した搬送体１４を配置する。ベランダ３の降雨感知センサー９が降雨を感知すると、サッシ７が自動で開き、洗濯物８を干した搬送体１４がベランダ３から室内４に自動搬送される。サッシ７が自動で開き、搬送体１４を洗濯物８を干したそのままの姿勢で移動できるので、そのまま部屋干し等でき使い勝手が良い。【選択図】  図５
2010240001.tif 000002
【特許請求の範囲】
【請求項１】
降雨を感知する降雨感知センサーを備え、建物の室外と室内との間を建物に設けた開口を介して移動可能な搬送機構を備え、被乾燥物を支持する被乾燥物支持具を前記搬送機構に保持可能とし、降雨感知センサーにより降雨を感知すると搬送機構により被乾燥物支持具が室外から室内に搬送される物干し装置において、建物の開口を開閉可能に設けられた開閉体を介して室外に設けた室外搬送レールと、室内に設けた室内搬送レールと、室外搬送レールと室内搬送レールに沿って移動可能に設けた前記被乾燥物支持具を吊り下げ可能な搬送体と、搬送体を移動する駆動機構とから搬送機構を構成し、降雨感知センサーにより降雨を感知すると開閉体を開いて開口から搬送体を被乾燥物支持具を吊り下げたそのままの状態で室外から室内に搬送した後、開閉体により開口を閉じるように構成したことを特徴とする物干し装置。
【請求項２】
前記室外搬送レールの室内側端と前記室内搬送レールの室外側端とを前記建物の開口を介して対向し、前記搬送体を複数の隣り合うハンガバーを連結器で連結して構成し、前記ハンガバーの長さを室外搬送レールの室内側端と室内搬送レールの室外側端との間の距離より長く設定して前記室内側端と室外側端の間にハンガバーを架け渡し可能であることを特徴とする請求項１記載の物干し装置。
【請求項３】
前記駆動機構を室外搬送レールの室内側端と室内搬送レールの室外側端の近傍に設け、室外搬送レールの室内側端の反対側端から駆動機構までの長さと室内搬送レールの室外側端の反対側端から駆動機構までの長さ及び前記搬送体を同一長さに設定したことを特徴とする請求項１または２記載の物干し装置。
【発明の詳細な説明】
【技術分野】
【０００１】
本発明は、降雨感知センサーにより降雨を感知した時に室外に干した被乾燥物を室内に自動的に搬送する物干し装置に関する。
【背景技術】
【０００２】
従来の降雨により被乾燥物を自動的に室外から室内に移動する物干し装置として、特許文献１、２のものが知られている。特許文献１のものでは、２本のロープ間に洗濯物（被乾燥物）を干すハンガー（被乾燥物支持具）が固定されている。ロープは駆動部により移動可能となっていると共に、ロープに対するハンガーの角度を変更できるようになっている。降雨感知装置が雨を感知すると駆動部によりハンガーのロープに対する角度が９０度から０度に変化させられる。その状態でロープが移動されて、窓の僅かに開かれた開口を通過して室外から室内にハンガーが移動される。また、特許文献２のものでは、窓よりガイド梁を少なくとも２本設け、それらガイド梁に洗濯物（被乾燥物）を干す物干し竿を架け渡している。ガイド梁には、竿受け部を設けたチェーンを巻き回してあり、電動機により回転されるようになっている。また、洗濯物を貯えておく洗濯物収容腕を供えている。降雨検知装置により降雨が検知されるとチェーンが回転され、室外から室内の洗濯物収容腕に物干し竿が取り込まれるようになっている。
【先行技術文献】
【特許文献】
【０００３】
【特許文献１】特開２００６−１１０１００号公報
【特許文献２】特開２０００−２３０９８５号公報
【発明の概要】
【発明が解決しようとする課題】
【０００４】
しかしながら、特許文献１に記載の物干し装置では、ロープにハンガーが固定されており、室外から室内に洗濯物を移動する時、僅かな開口からハンガーを移動させるためにハンガーの角度をロープに対して変更するようにしているので、ハンガーをそのままの姿勢で移動しておらず、このために特定のハンガーを使うことになり、様々な形状のハンガーを使うことができなかった。このためロープに固定されたハンガーに対応した被乾燥物しか干すことができない問題があった。また、ロープで洗濯物を干しているので、濡れた洗濯物を複数干した場合にロープがたわみ、洗濯物の移動に問題があった。また、特許文献２では、洗濯物を室内に移動する時、物干し竿を室内に取り込むが、取り込む時に物干し竿は洗濯物収容腕に落下して集められるため洗濯物を干しているそのままの状態で室内に移動することがでない問題があった。そのため、洗濯物が落下して重ねられることで傷む恐れがあった。また、室内に物干し竿が取り込み状態では洗濯物収容腕に集められるので、そのまま部屋干しすることや雨が止んだ後再度室外に干すことがでず、洗濯物の移動に問題があった。また、ガイド梁に物干し竿を架け渡し、物干し竿が落下して集められるので洗濯物以外の干物などの被乾燥物を干すためのハンガーを使用することができない。特許文献１、２では、上記のように洗濯物を干した姿勢のまま室内に移動できないので使い勝手が悪い問題があった。また、特許文献１では、ロープが開口を介して室外と室内に伸びており、特許文献２では、室内に洗濯物を取り込む場合、ガイド梁が室内から室外へ伸びるので、室外と室内の間の開口を開閉体により完全に閉じることができない問題があった。
そこで、本発明の課題は、上記問題点に鑑みなされたものであって、被乾燥物を干すそのままの姿勢で開口の開閉体を開閉して室外と室内との間に自動で移動できて使い勝手が良く、開口を完全に閉じることが可能な物干し装置を提供することを目的とする。
【課題を解決するための手段】
【０００５】
上記目的を達成するために、請求項１に記載の発明は、降雨を感知する降雨感知センサーを備え、建物の室外と室内との間を建物に設けた開口を介して移動可能な搬送機構を備え、被乾燥物を支持する被乾燥物支持具を前記搬送機構に保持可能とし、降雨感知センサーにより降雨を感知すると搬送機構により被乾燥物支持具が室外から室内に搬送される物干し装置において、建物の開口を開閉可能に設けられた開閉体を介して室外に設けた室外搬送レールと、室内に設けた室内搬送レールと、室外搬送レールと室内搬送レールに沿って移動可能に設けた前記被乾燥物支持具を吊り下げ可能な搬送体と、搬送体を移動する駆動機構とから搬送機構を構成し、降雨感知センサーにより降雨を感知すると開閉体を開いて開口から搬送体を被乾燥物支持具を吊り下げたそのままの状態で室外から室内に搬送した後、開閉体により開口を閉じるように構成したことを特徴とする。
【０００６】
また、請求項２に記載の発明は、前記室外搬送レールの室内側端と前記室内搬送レールの室外側端とを前記建物の開口を介して対向し、前記搬送体を複数の隣り合うハンガバーを連結器で連結して構成し、前記ハンガバーの長さを室外搬送レールの室内側端と室内搬送レールの室外側端との間の距離より長く設定して前記室内側端と室外側端の間にハンガバーを架け渡し可能であることを特徴とする。
【０００７】
また、請求項３に記載の発明は、駆動機構を室外搬送レールの室内側端と室内搬送レールの室外側端の近傍に設け、室外搬送レールの室内側端の反対側端から駆動機構までの長さと室内搬送レールの室外側端の反対側端から駆動機構までの長さ及び前記搬送体を同一長さに設定したことを特徴とする。
【発明の効果】
【０００８】
本願の請求項１の発明では、建物の開口を開閉可能に設けられた開閉体を介して室外に設けた室外搬送レールと、室内に設けた室内搬送レールと、室外搬送レールと室内搬送レールに沿って移動可能に設けた前記被乾燥物支持具を吊り下げ可能な搬送体と、搬送体を移動する駆動機構とから搬送機構を構成し、降雨感知センサーにより降雨を感知すると開閉体を開いて開口から搬送体を被乾燥物支持具を吊り下げたそのままの状態で室外から室内に搬送した後、開閉体により開口を閉じるように構成した。また、本願の請求項２の発明では、前記室外搬送レールの室内側端と前記室内搬送レールの室外側端とを前記建物の開口を介して対向し、前記搬送体を複数の隣り合うハンガバーを連結器で連結して構成し、前記ハンガバーの長さを室外搬送レールの室内側端と室内搬送レールの室外側端との間の距離より長く設定して前記室内側端と室外側端の間にハンガバーを架け渡し可能とした。また、本願の請求項３の発明では、前記駆動機構を室外搬送レールの室内側端と室内搬送レールの室外側端の近傍に設け、室外搬送レールの室内側端の反対側端から駆動機構までの長さと室内搬送レールの室外側端の反対側端から駆動機構までの長さ及び前記搬送体を同一長さに設定した。請求項１によれば、開口の開閉体を開閉して、被乾燥物支持具を吊り下げた搬送体をそのままの姿勢で室外と室内に移動できる。そのために、室内に移動した後、部屋干しすることや再び被乾燥物を干すとき、室内から室外へ搬送体をそのまま移動して干すことができ、また、被乾燥物支持具の形状が限定されず被乾燥物に対応した様々な被乾燥物支持具を使用できて使い勝手が向上する。また、請求項２によれば、前記室外搬送レールの室内側端と前記室内搬送レールの室外側端とを前記建物の開口を介して対向したので、搬送レールが邪魔にならず開口を開閉体により確実に閉じることができる。また、請求項２、３によれば、搬送体をハンガバーと連結器で連結して構成したので、室外搬送レールや室内搬送レールが急激に曲がっていても搬送体はスムーズに移動でき、狭い場所でも設置でき、更に、複数のハンガバーを連結器で連結することで搬送体を長く構成できて多数の被乾燥物を干せる。また、請求項３によれば、駆動機構を搬送体と別に設けても１つの駆動機構で搬送体を搬送できる。
【図面の簡単な説明】
【０００９】
【図１】本願発明の物干し装置の全体を示す平面図である。
【図２】物干し装置の全体を示す側面図である。
【図３】搬送機構を示す図である。
【図４】搬送体検出センサーを示す図である。
【図５】室外搬送レールの室内側端と室内搬送レールの室外側端とを示す説明図である。
【発明を実施するための形態】
【００１０】
本願発明の実施の形態について、図１〜図５により説明する。図１、図２に示すように、物干し装置１は、建物２の室外であるベランダ３と室内４の間で、建物の躯体に設けられた開口５を開閉可能な開閉体としての障子６，６を備えたサッシ７を開いた状態で被乾燥物８を搬送可能に設けらている。物干し装置１は、降雨を感知する降雨感知センサー９と、被乾燥物８を支持する被乾燥物支持具１０を保持可能でありベランダ３と室内４との間で被乾燥物支持具１０を搬送する搬送機構１１とを備えている。降雨感知センサー９はベランダ３に設けられている。また、物干し装置１は、降雨感知センサー９の降雨の感知によりサッシ７に備えられた図示しない開閉機構を駆動し、障子６，６を移動して建物２の開口５を開閉可能となっている。サッシ７の障子６，６を移動する開閉機構は、例えば特開２００６−１９４０６５号公報に開示のように、図示しないサッシ枠に開閉用モータを固定し、開閉用モータに固定されたピニオンを障子６，６に固定された開閉方向に延びるラックに噛み合せ、ピニオンの回転により障子６，６を開閉する構成のものや、プーリーとベルトにより開閉するように構成しても良い。また、ラックとピニオンに替えて開閉用モータに固定されたホイールを障子６，６に固定された開閉方向に延びるバンドに接触させ、互いの摩擦力により障子６，６を開閉するようにしても良い。
【００１１】
搬送機構１１は、ベランダ３に設けられた室外搬送レール１２と、室内４に設けられた室内搬送レール１３と、室外搬送レール１２と室内搬送レール１３に沿って移動可能に設けた搬送体１４と、搬送体１４を移動する駆動機構１５とから構成されている。室外搬送レール１２は、図３から図５に示すように、パイプの下面を開口した形状に形成されており、室外搬送レール１２の開口部分が後述のハンガバー１６のガイドローラ１７が転動する左右案内面となっている。室外搬送レール１２は建物２の天井にレール吊り具１８により懸架されている。図１に示すように、室外搬送レール１２はベランダ３に沿って略ベランダ３の一方の端から他方の端まで伸びている。ベランダ３の一方の端側に位置する室外搬送レール１２の室内側端１２ａと反対側端１２ｂには、図４に示すように、後述の搬送体１４に設けられた室外側検出体１９を検出する室外側搬送体検出センサー２０が設けられている。また、図１に示すように、室外搬送レール１２のベランダ３の他方の端側に位置する部分は略直角に屈曲された屈曲部とされてサッシ７の障子６に向けて延設されている。室外搬送レール１２の室内側端１２ａの近傍には、室外３側の駆動機構１５が設けらている。
【００１２】
駆動機構１５は、図３に示すように、室外搬送レール１２に設けたブラケット２１に左右一対の搬送ディスク２２，２２を回転可能に支承し、駆動モータ２３により搬送ディスク２２，２２の一方を回転させるように構成されている。左右一対の搬送ディスク２２，２２は、ハンガバー１６及び連結器２６を両側から弾性的に挟み込んだ状態で搬送ディスク２２，２２を回転することで搬送体１４を室外搬送レール１２に沿って室内方向または室外方向に搬送するようになっている。室外搬送レール１２の室内側端１２ａは、図５に示すように、サッシ７に向けて広がるガイドプレート２４が設けられて室内４に向けて開口している。
【００１３】
室内搬送レール１３は、室外搬送レール１２と略同様に構成されている。室内搬送レール１３の室外搬送レール１２の室内側端１２ａと建物２の開口５を介して対向する室外側端１３ａには、ガイドプレート２４が設けられてベランダ３に開口しており、室外側端１３ａ近傍に室内側の駆動機構１５が設けられている。また、室内搬送レール１３の室外側端１３ａと反対側端１３ｂには、室内側搬送体検出センサー２５が設けられている。
【００１４】
搬送体１４は、図３、図５に示すように、複数の隣り合うハンガバー１６を連結器２６で屈曲可能に連結し、各ハンガバー１６の両端近くに一対のガイドローラ１７を設け、ハンガバー１６の下面に複数の吊下げ部２７が設けられて構成されている。ハンガバー１６と連結器２６の左右方向幅は同一となっており、前記のように搬送ディスク２２，２２で挟み込まれて移動されるようになっている。一対のガイドローラ１７は室外搬送レール１２と室内搬送レール１３の左右案内面を転動するようになっている。各ハンガバー１６は、図５に示すように、その長さが室外搬送レール１２の室内側端１２ａと室内搬送レール１３の室外側端１３ａとの間の距離より長く設定されている。搬送体１４を構成する両端のハンガバー１６には、室外側搬送体検出センサー２０と室内側搬送体検出センサー２５に夫々対応して検出される室外側検出体１９と室内側検出体２８が設けられている。この搬送体１４は、室外側の駆動機構１５から室外側搬送体検出センサー２０までの長さ程度の長さに設定されている。これにより夫々のレール１２，１３に設けた１つの駆動機構１５により搬送体１４を搬送できる。搬送体１４は、ハンガバー１６を連結器２６で屈曲可能に連結したのものなので、サッシ７の開口５で搬送体１４が左右方向に首振りする可能性がある。そのために、搬送体１４が室外搬送レール１２と室内搬送レール１３の間を通過する時に、搬送体１４は、前記ガイドプレート２４によりガイドされて左右方向への首振りを妨げられ室外搬送レール１２と室内搬送レール１３との間で案内されるようになっている。
【００１５】
また、ベランダ３には太陽電池２９が設けられており、太陽電池２９により降雨感知センサー９や駆動モータ２３等に電気を供給可能となっている。尚、駆動機構１５を搬送体１４と別に設けたが、搬送体に駆動モータを設けて搬送ローラを回転するようにしても良い。
【００１６】
次に物干し装置１の動作について説明する。先ず、被乾燥物として洗濯物８を干す場合には、図１の２点差線で示すように、室内搬送レール１３に搬送体１４を位置させる。その状態でハンガバー１６の吊下げ部２７にハンガー１０を吊り下げ、そのハンガー１０に洗濯物８を吊り下げる。本願実施の形態では被乾燥物は洗濯物８であるが、その他に魚や果物等でも良く、その場合は洗濯物用のハンガー１０に替えて魚等を干せるハンガーを吊下げ部２７に吊下げることができる。このとき、搬送体１４は、複数のハンガバー１６を連結器２６で連結して構成しているので長くでき、複数のハンガー１０を吊下げられて多数の洗濯物８を干せる。
【００１７】
図示しない操作スイッチを操作すると、サッシ７の障子６がサッシ７の図示しない開閉用モータの駆動により開かれる。次に、洗濯物８を吊り下げた搬送体１４が、室内４側の駆動機構１５により移動される。搬送体１４は室内搬送レール１３の室外側端１３ａに移動すると、搬送体１４のハンガバー１６が室内搬送レール１３の室外側端１３ａから室外搬送レール１２の室内側端１２ａに架け渡され、搬送体１４が室内搬送レール１３から室外搬送レール１２に移動される。更に、搬送体１４はベランダ３側の駆動機構１５により室外搬送レール１２を移動する。そして、搬送体１４の室外側検出体１９が室外側搬送体検出センサー２０に検出されると、室外側搬送体検出センサー２０からの検出信号により室内４側とベランダ３側の駆動機構１５，１５が停止されて搬送体１４の移動が停止される。また、搬送体１４の停止後、室外側搬送体検出センサー２０からの検出信号によりサッシ７の開閉用モータが駆動されて障子６が閉じられ、図１に示すベランダ３に洗濯物８が干された状態となる。
【００１８】
次に、洗濯物８がベランダ３に干された状態で雨が降り降雨感知センサー９により雨が感知されると、降雨感知センサー９からの降雨感知信号によりサッシ７の開閉用モータが駆動されて障子６が開かれる。次に、障子６が開かれると、降雨感知信号によりベランダ３側と室内４側の駆動機構１５，１５が起動する。ベランダ３側の駆動機構１５により搬送体１４が室外搬送レール１２に沿ってベランダ３から室内４に向けて移動される。
【００１９】
サッシ７の開口５に搬送体１４が位置すると、室外搬送レール１２の室内側端１２ａは室内搬送レール１３の室外側端１３ａに障子６が開閉可能な隙間を有して対向した状態で開口５しているので、前記と同様に、搬送体１４は室外搬送レール１２の室内側端１２ａと室内搬送レール１３の室外側端１３ａ間に架け渡されて移動する。搬送体１４は、室内搬送レール１３では室内４側の駆動機構１５により移動される。そして、搬送体１４の室内側検出体２８が室内側搬送体検出センサー２５に検出されると、室内側搬送体検出センサー２５からの検出信号により駆動機構１５による搬送体１４の移動が停止される。そして、室内側搬送体検出センサー２５からの検出信号によりサッシ７の開閉用モータが駆動され障子６が閉じられる。尚、雨が降った場合の搬送体１４の移動は、降雨検出センサー９と併せて設けた操作スイッチの操作によりベランダ３から室内４に移動することもできる。
【００２０】
以上のように搬送時には、ハンガー１０を吊り下げた搬送体１４をレールに沿ってそのままの姿勢で移動できるので、室内４にベランダ３と同様に洗濯物８を収納でき、そのまま部屋干しや雨が止んだ後再度ベランダ３に洗濯物８を干すことができる。また、搬送体１４にハンガー１０を吊り下げるのでハンガー１０の形状が限定されず洗濯物８に合わせて様々なハンガー１０を使用できる。これらにより物干し装置の使い勝手が向上する。また、室外搬送レール１２と室内搬送レール１３とがサッシ７の位置で別れて対向しているので障子６を確実に閉じることができる。また、搬送体１４をハンガバー１６と連結器２６とで構成したので、直角に曲がった搬送レール１２，１３であってもスムーズに搬送体１４が移動できるので、マンションのベランダのような狭い場所でも設置できる。
【符号の説明】
【００２１】
１  物干し装置
２  建物
３  ベランダ（室外）
４  室内
５  開口
６  障子（開閉体）
８  洗濯物（被乾燥物）
９  降雨感知センサー
１０  ハンガー（被乾燥物支持具）
１１  搬送機構
１２  室外搬送レール
１２ａ  室外搬送レールの室内側端
１３  室内搬送レール
１３ａ  室内搬送レールの室外側端
１４  搬送体
１５  駆動機構
１６  ハンガバー
２６  連結器
【図１】
2010240001.tif 000003
【図２】
2010240001.tif 000004
【図３】
2010240001.tif 000005
【図４】
2010240001.tif 000006
【図５】
2010240001.tif 000007